(57)【要約】【課題】  コンパクトディスクを納めるための簡易な構造のポケットを形成した写真帳用の軟質の合成樹脂製カバーを提供する。【解決手段】  軟質の構成樹脂製カバーシート（１）にホルダー（５）（５）を構成するシート部分（３）（３）の一方のシート部分は、その斜めの内側縁から延びる延長シート片（７）を有し、且つ延長シート片との接合部を上下に残して、斜めの内側縁に沿って形成された、コンパクトディスクの出し入れ口を構成するスロット（９）を有し、延長シート片（７）は、前記接合部の折筋を中心にホルダーの中へ折り込まれて一方のシート部分とともにコンパクトディスクのための収納ポケット（１０）を形成する。【選択図】      図１
2006056031.tif 000002
【特許請求の範囲】
【請求項１】
写真帳の半硬質合成樹脂製表紙を覆う大きさの軟質の合成樹脂製カバーシートに、その左右内側において同じ材料のシート部分を当ててそれらの周囲３方をカバーシートの周縁に溶着して写真帳の半硬質合成樹脂製の表紙を差し込むための差し込み口付きホルダーを構成し、前記一方のシート部分は、その内側縁の少なくとも下部が斜めに形成され、前記一方のシート部分は、斜めの内側縁から延びる延長シート片を有し、且つ延長シート片との接合部を上下に残して、斜めの内側縁に沿い、コンパクトディスクのほぼ直径に相当する長さにわたって形成された、コンパクトディスクの出し入れ口を構成するスロットを有し、延長シート片は、前記接合部の折筋を中心にホルダーの中へ折り込まれて一方のシート部分とともにコンパクトディスクのためのポケットを形成した、写真帳用の軟質の合成樹脂製カバー。
【請求項２】
ポケットに納めれたコンパクトディスクの取り出しを容易にするために、一方のシート部分は、斜めの内側縁から垂直方向にコンパクトデイスクのスピンドル穴に相当する位置まで形成された指案内用スロットを有する、請求項１に記載のカバー。
【請求項３】
ホルダーに折り込まれた延長シート部分は、指案内用スロットに隣接して形成されたＵ型スリットによって構成された、コンパクトディスクの抜け止め片を有する、請求項２に記載のカバー。
【発明の詳細な説明】
【技術分野】
【０００１】
本発明は、写真帳等に使用され、コンパクトデイスクを収納するポケットを備えた軟質の合成樹脂製カバーに関する。
【背景技術】
【０００２】
ディジタルカメラの普及に伴い、ディジタルカメラで撮影して得た記録媒体の画像データを取り込んだコンパクトディスクを、記録媒体の画像データからプリンターによって作られた多数の写真を納めた写真アルバムとともに保存する傾向がある。その場合、写真アルバムとそれと関連したコンパクトディスクの一体性を確保することが必要であることから、従来、写真アルバム等では、その表紙の内側に収納ポケットを形成してそこにコンパクトディスクを納めておく工夫がなされている。
【０００３】
写真アルバムの他に、写真だけを納める写真帳（クリアファイルを含む）が市販されている。この種の写真帳は、一般的には、半硬質の合成樹脂製表紙の背部に、左右に写真等を差し込むポケットを有する透明な合成樹脂フイルムを複数枚重ねて溶着により綴ったものからなり、写真帳を体裁良く見せるために軟質の合成樹脂材料製のカバーが掛けられる。写真帳には、コンパクトディスクを納めるためのポケットがないため、かかるポケットをカバーに設ける事が要請される。
【０００４】
本発明の目的は、コンパクトディスクを納めるための簡易な構造を有し、且つ納められたコンパクトディスクが不用意に脱出しないようにしたポケットを形成した写真帳用の軟質の合成樹脂製カバーを提供することにある。
【発明の開示】
【発明が解決しようとする課題】
【０００５】
本発明の上記目的は、写真帳の半硬質合成樹脂製表紙を覆う大きさの軟質の合成樹脂製カバーシートに、その左右内側において同じ材料のシート部分を当ててそれらの周囲３方をカバーシートの周縁に溶着して写真帳の半硬質合成樹脂製の表紙を差し込むための差し込み口付きホルダーを構成し、前記一方のシート部分は、その内側縁の少なくとも下部が斜めに形成され、前記一方のシート部分は、斜めの内側縁から延びる延長シート片を有し、且つ延長シート片との接合部を上下に残して、斜めの内側縁に沿い、コンパクトディスクのほぼ直径に相当する長さにわたって形成された、コンパクトディスクの出し入れ口を構成するスロットを有し、延長シート片は、前記接合部の折筋を中心にホルダーの中へ折り込まれて一方のシート部分とともにコンパクトディスクのためのポケットを形成した、写真帳用の軟質の合成樹脂製カバーを提供することによって達成される。
【０００６】
好ましい実施形態では、ポケットに納めれたコンパクトディスクの取り出しを容易にするために、一方のシート部分は、斜めの内側縁から垂直方向にコンパクトデイスクのスピンドル穴に相当する位置まで形成された指案内用スロットを有する。
【０００７】
さらに好ましい実施形態では、ホルダーに折り込まれた延長シート部分は、指案内用スロットに隣接して形成されたＵ型スリットによって構成された、コンパクトディスクの抜け止め片を有する。
【０００８】
本発明による軟質の合成樹脂製カバーを使用する場合には、写真帳の半硬質合成樹脂製の表紙をカバーの左右内側のホルダーにその差込み口から差し込むことによって写真帳はカバーでカバーされることになる。コンパクトディスクは、スロットによって構成された出し入れ口からポケットの中へ差し込まれて、そこに納められる事になる。コンパクトディスクを取り出す場合には、指を指案内用スロットを通してコンパクトディスクのスピンドル穴に差し込んでスロットにそって指を移動させることによりコンパクトディスクを斜め上方に引き上げ出し入れ口から脱出させる。
【０００９】
抜け止め片を、コンパクトディスクを差し込むのに先立って、或いはコンパクトディスクをポケットに納めてから、指を使って引き出して、シート部分とコンパクトディスクとの間に差し込むか、或いはシート部分の上に位置させ、それによってコンパクトディスクの不用意な脱出を防止する。
【発明を実施するための最良の形態】
【００１０】
図面、特に図１を参照すると、本発明によるカバーは、写真帳の半硬質合成樹脂製表紙(図示せず)を覆う大きさの軟質の構成樹脂製カバーシート１からなり、背部分２を挟んで、その左右両側において内側に同じ材料のシート部分３、３'がカバーシート１に当てられて、それらの周囲３方がカバーシート１の周縁に溶着４して写真帳の半硬質合成樹脂製の表紙を差し込むための差し込み口付きホルダー５、５'を構成する。シート部分３、３'は好ましくはカバーシート１の延長部として形成され、内側に折り曲げられたものである。一方のシート部分３は、カバーシート１の背部分２の下端に隣接した箇所とカバーシートの一方側の上縁のほぼ中央とを結ぶ斜めの内側縁６を有し、且つ該内側縁６から延びる延長シート片７を一体に有する。前記一方のシート部分３は、延長シート片７との接合部８、８を上下に残して、斜めの内側縁６に沿い、コンパクトディスクのほぼ直径に相当する長さにわたって形成されたスロット９を有し、この斜めのスロット９は、コンパクトディスクの出し入れ口を構成する。延長シート片７は、図２に明瞭に示されているように、接合部８、８の折筋を中心にホルダー５の中へ折り込まれて一方のシート部分３とともにコンパクトディスクのための収納ポケット１０を構成する。コンパクトディスクは、出し入れ口から収納ポケット１０に納められ、もっと詳細には、シート部分３と折り込まれた延長シート片７との間に挟持されて、ホルダー５の下部隅に、図１において仮想線で参照番号１１で指示されているように位置する。
【００１１】
好ましい実施形態では、収納ポケット１０に納めれたコンパクトディスク１１の取り出しを容易にするために、一方のシート部分３は、斜めの内側縁６から垂直方向にコンパクトデイスク１１のスピンドル穴１２に相当する位置まで形成された指案内用スロット１３を有する。
【００１２】
図３の実施形態では、本発明によるカバーは図１に示すカバーに比べて大型であり、そのため、写真帳の表紙を差し込むためのホルダー５、５'を構成するシート部分３a、３bのうちの一方のシート部分３aの内側縁６は下部だけが斜めに形成される。前記一方のシート部分３ａは、図１におけると同様に、斜めの内側縁６から延びる延長シート片７を有する。他の構成は、抜け止め片１４を除いて図１に示す実施形態と同じであるので、これ以上の説明は省略する。抜け止め片１４は、指案内用スロット１３に隣接して、ホルダーの中へ折り込まれた延長シート片７に形成されたＵ型スリット１５によって構成される。
【００１３】
本発明による軟質の合成樹脂製カバーを使用する場合には、写真帳の半硬質合成樹脂製の表紙をカバーの左右内側のホルダー５、５’にその差込み口から差し込むことによって写真帳はカバーでカバーされることになる。コンパクトディスク１１は、図１及び３に示すように、斜めのスロット９によって構成された出し入れ口から収納ポケット１０の中へ差し込まれて、そこに納められ、ホルダー５の下部隅に位置する。出し入れ口がコンパクトディスクの下部周縁より上で、斜めに位置しているため、コンパクトディスクは、不用意に取り出し口から脱出しない。コンパクトディスクを取り出す場合には、指を指案内用スロット１３を通してコンパクトディスクのスピンドル穴１２に差し込んでスロット１３にそって指を移動させることによりコンパクトディスクを斜め上方に引き上げ出し入れ口から脱出させることができる。
【００１４】
図３及び４に示す実施形態では、抜け止め片１４を、コンパクトディスクを差し込むのに先立って、或いはコンパクトディスクをポケットに納めてから、指を使って引き出して、シート部分とコンパクトディスクとの間に差し込むか、或いはシート部分の上に位置させ、それによってコンパクトディスクの不用意な脱出を防止する。図は抜け止め片１４の前者の様子を示している。
【００１５】
このように、本発明によれば、カバーにコンパクトディスクのための収納ポケットを設けたから、写真帳をこのカバーで覆う限り、コンパクトディスクは写真帳との一体性を確保することができる。収納ポケットは、斜めの出し入れ口を伴ってカバーの内側の下部隅にあるから、コンパクトディスクを不用意な脱出なしに安定的に収納することができ、しかもコンパクトディスクのポケットからの出し入れが容易である。
【図面の簡単な説明】
【００１６】
【図１】本発明による写真帳用のカバーの内側かち見た斜視図である。
【図２】図１に示すカバーの収納ポケット部分の断面図である。
【図３】本発明の別の実施形態によるカバーの内側から見た斜視図である。
【図４】図３に示すカバーの収納ポケット部分の断面図である。
【符号の説明】
【００１７】
１  カバーシート
２  背部分
３  シート部分
３'  シート部分
４  溶融
５  ホルダー
５' ホルダー
６  内側縁
７  延長シート片
８  接合部
９  スロット
１０  収納ポケット
１１  コンパクトディスク
１２  スピンドル穴
１３  指案内用スロット
３ａ   シート部分
３ｂ   シート部分
１４  抜け止め片
１５  Ｕ型スリット１５
【図１】
2006056031.tif 000003
【図２】
2006056031.tif 000004
【図３】
2006056031.tif 000005
【図４】
2006056031.tif 000006
【手続補正書】
【提出日】平成16年9月2日(2004.9.2)
【手続補正１】
【補正対象書類名】図面
【補正対象項目名】全図
【補正方法】変更
【補正の内容】
【図１】
2006056031.tif 000007
【図２】
2006056031.tif 000008
【図３】
2006056031.tif 000009
【図４】
2006056031.tif 000010